(57)【要約】  使い勝手が良く、且つ簡便に配管工事の調芯作業を実施することができるバタフライバルブの配管用調芯機構を提供することを目的とする。  本発明は、トップフランジ（６）の下部に、位置決め治具（１１）が挿入される溝（１０）を設ける。溝（１０）の端面位置は配管フランジ（７）と弁箱（１）が接合する面上とする。溝（１０）を縦長の楕円形状に穿設し、各種フランジ接続規格に対応可能とすべく、溝（１０）の複数の位置に両横方向に張り出した溝段部（１０ａ、１０ｂ、１０ｃ）を形成する。
2019131430.tif 000002
【特許請求の範囲】
【請求項１】
円筒状バルブ本体の外周部に突設されて径方向に延びる柱状の弁軸軸受け部に着脱自在に取付けられるバタフライバルブの配管用調芯機構において、弁箱のトップフランジ下部に、位置決め治具が嵌合可能な溝を設け、溝の端面位置は配管フランジと弁箱が接合する面上とすると共に、前記溝は、前記位置決め治具に設けられた嵌合突起を嵌合可能な挿入溝を有し、該挿入溝は各種フランジ接続規格に対応可能とすべく異なる位置に少なくとも１つ設けられていることを特徴とするバタフライバルブの配管用調芯機構。
【請求項２】
円筒状バルブ本体の外周部に突設されて径方向に延びる柱状の弁軸軸受け部に着脱自在に取付けられるバタフライバルブの配管用調芯機構において、弁箱のトップフランジ下部に、位置決め治具が嵌合可能な溝を設け、溝の端面位置は配管フランジと弁箱が接合する面上とすると共に、前記溝は、前記位置決め治具に設けられた棒状突起を挿入可能な穴部を有し、該穴部は各種フランジ接続規格に対応可能とすべく異なる位置に少なくとも１つ設けられていることを特徴とするバタフライバルブの配管用調芯機構。
【請求項３】
円筒状バルブ本体の外周部に突設されて径方向に延びる柱状の弁軸軸受け部に着脱自在に取付けられるバタフライバルブの配管用調芯機構において、弁箱のトップフランジ下部に、位置決め治具が嵌合可能な溝を設け、溝の端面位置は配管フランジと弁箱が接合する面上とすると共に、前記溝は、前記位置決め治具に設けられた嵌合突起を嵌合可能な挿入溝を有すると共に前記位置決め治具に設けられた棒状突起を挿入可能な穴部を有し、該穴部及び前記挿入溝は各種フランジ接続規格に対応可能とすべく異なる位置に少なくとも１つ設けられていることを特徴とするバタフライバルブの配管用調芯機構。
【請求項４】
位置決め治具は、前記溝に挿入され嵌合する部分と、配管フランジ外周側面に当接する部分から形成されことを特徴とする請求項１乃至請求項３に記載のバタフライバルブの配管用調芯機構。
【請求項５】
トップフランジに位置決め治具収納部を設けたことを特徴とする請求項１乃至請求項４に記載の配管用調芯機構。
【請求項６】
位置決め治具は、拡縮自在の爪によるバイヨネット機構を備えていることを特徴とする請求項１乃至請求項５のいずれかに記載の配管用調芯機構。
【請求項７】
前記位置決め治具が、前記溝との接触面、並びに前記治具収納部との接触面に複数の突起を有することを特徴とする請求項４乃至請求項６のいずれかに記載の配管用調芯機構。
【発明の詳細な説明】
【技術分野】
【０００１】  本発明は、化学工場、上下水道、農業・水産などの配管ラインに好適に使用されるバタフライバルブに関するものであり、さらに詳しくは、各種流体移送する管路へのウエハ型のバタフライバルブに施工に際し、管路とバタフライバルブの中心線を合致させる芯出し作業、すなわち調芯を行うために使用する配管用調芯機構に関するものである。
【背景技術】
【０００２】  流体の輸送用管路を構成する前後２本の管の間にバタフライバルブを組み付ける際に、これらの管の中心線とバタフライバルブの弁箱の中心線を合致させる調芯を行う必要がある。この調芯が正確に行われないと配管フランジ部のシール性が毀損されたり、バルブの全開時に弁体が配管の内径を干渉してしまうという問題が発生する。そこで従来から、バタフライバルブの配管に際し、この調芯が行い易く配管作業がスムーズに行えるような工夫や対応策が講じられている。【０００３】  従来は、接続するボルトの高さを基準にし、ボルト外周にセットカラーを装着し、カラーに弁箱の外周をあてがう方式や、弁箱の上部に半円状のフックを設け、このフックをボルトにあてがう方式が採用されてきた。ボルト挿通孔の径はボルト径より大きく、且つ締結前のボルトは不安定な状態にあるため、芯出し作業が困難であった。また、他には弁箱のトップフランジ下部に、スリーブ形状の位置決め部材を装着し、配管時に位置決め部材をフランジ外側面にあてがう方式が採用されてきた。【０００４】  また、スリーブ形状の位置決め部材を装着し、配管時に位置決め部材を配管のフランジ外側面にあてがう方法では、スリーブの上面と弁箱のトップフランジ下面を接触させることで位置決めすることから、配管接続規格が変わりフランジ径が変わると、接続規格に応じたスリーブが必要となり、汎用性に難があることや、部品が大きいため、保管に難点があった。【０００５】  例えば、特許文献１には、円筒状バルブ本体の外周に立設されている円柱状の弁軸受け部に対し管路の上流側又は下流側から嵌合可能な半円筒状嵌合部とこの嵌合部の両側に張り出した張出部とで本体を形成し、両側の張出部の各下端に切欠き部を設けた芯出し治具が開示されている。【０００６】  この芯出し治具は、弁軸軸受け部の上端に弁軸アクチュエータ取付け用として固定されているトップフランジの下面に前記半円筒形状嵌合部の上端を接触させ、その状態でバタフライバルブを前後２本の管の端部に固定されている配管フランジの上端部を連結するボルトに前記芯出し治具の張出部下端の切欠き部が係合してバタフライバルブの下降が制止されることによって調芯される。【０００７】  また、円筒状バルブ本体の外周部に突設されて径方向に延びる柱状の弁軸軸受け部に着脱自在に取付けられるバタフライバルブの組付け用芯出し治具が弁軸軸受け部の外面に嵌合する本体部と本体部の下部に結合されて管路の上流側および下流側の少なくとも一方に張り出す足部とからなり、芯出し治具をバタフライバルブと共に管路内で対向する上流側および下流側の配管フランジ間に挿入して管路およびバルブ本体の中心線を合致させたときに足部の下面が配管フランジの外周と接触するように構成し、バラフライバルブ組付け用芯出しを作業者一人で容易に、かつ正確に行うことができ、しかもバタフライバルブの組付け後に容易に取り外すことができ、配管フランジに各種規格サイズに対応することが可能な芯出し治具が開示されている（特許文献２参照。）。【０００８】  他にも、短円筒形の弁箱内に設けたジスク（弁体）を回転自在に設けたバタフライバルブにおいて、前記弁の外周上方側と外周下方側に突設片を設け、この突���片に、各種のフランジ規格に対応可能な配管ボルトガイド用のボルト当接部を形成し、このボルト当接部のうち弁箱の下方側のボルト当接部を下方側に向けて開口形成すると共に、上方側のボルト当接部を前記下方側のボルト当接部と略交差方向に開口形成し、ウエハ型バタフライバルブと配管との芯出し作業を正確かつ容易に行うことができると共に、配管作業性の向上を図り、各種のフランジ規格に広く対応可能としたものが提案されている（特許文献３参照。）。
【先行技術文献】
【特許文献】
【０００９】
【特許文献１】実公平５−５３４９号公報
【特許文献２】特開２００２−１６１９８７号公報
【特許文献３】特開２００７−１７７８１３号公報
【発明の概要】
【発明が解決しようとする課題】
【００１０】  本発明もまた、以上のような従来技術の問題点に鑑み、位置決め方式、位置決め治具形状を工夫することにより、使い勝手が良く、且つ簡便に配管工事の調芯作業を実施することができるバタフライバルブの配管用調芯機構を提供することを目的とする。
【課題を解決するための手段】
【００１１】 本発明は、円筒状バルブ本体の外周部に突設されて径方向に延びる柱状の弁軸軸受け部に着脱自在に取付けられるバタフライバルブの配管用調芯機構において、弁箱のトップフランジ下部に、位置決め治具が嵌合可能な溝を設け、溝の端面位置は配管フランジと弁箱が接合する面上とすると共に、前記溝は、前記位置決め治具に設けられた嵌合突起を嵌合可能な挿入溝を有し、該挿入溝は各種フランジ接続規格に対応可能とすべく異なる位置に少なくとも１つ設けられていることを第１の特徴とする。【００１２】  また、円筒状バルブ本体の外周部に突設されて径方向に延びる柱状の弁軸軸受け部に着脱自在に取付けられるバタフライバルブの配管用調芯機構において、弁箱のトップフランジ下部に、位置決め治具が嵌合可能な溝を設け、溝の端面位置は配管フランジと弁箱が接合する面上とすると共に、前記溝は、前記位置決め治具に設けられた棒状突起を挿入可能な穴部を有し、該穴部は各種フランジ接続規格に対応可能とすべく異なる位置に少なくとも１つ設けられていることを第２の特徴とし、円筒状バルブ本体の外周部に突設されて径方向に延びる柱状の弁軸軸受け部に着脱自在に取付けられるバタフライバルブの配管用調芯機構において、弁箱のトップフランジ下部に、位置決め治具が嵌合可能な溝を設け、溝の端面位置は配管フランジと弁箱が接合する面上とすると共に、前記溝は、前記位置決め治具に設けられた嵌合突起を嵌合可能な挿入溝を有すると共に前記位置決め治具に設けられた棒状突起を挿入可能な穴部を有し、該穴部及び前記挿入溝は各種フランジ接続規格に対応可能とすべく異なる位置に少なくとも１つ設けられていることを第３の特徴とする。【００１３】  さらに、位置決め治具は、前記溝に挿入され嵌合する部分と、配管フランジ外周側面に当接する部分から形成されことを第４の特徴とし、トップフランジに位置決め治具収納部を設けたことを第５の特徴とする。【００１４】  位置決め治具は、拡縮自在の爪によるバイヨネット機構を備えていることを第６の特徴とし、前記位置決め治具が、前記溝との接触面、並びに前記治具収納部との接触面に複数の突起を有することを第７の特徴とする。【００１５】  ここで、バタフライバルブの材質は、樹脂、金属、陶器等限定されないが、ＰＶＣ、ＰＰ、ＰＶＤＦ、ジシクロペンタジエンのいずれか一つからなることが望ましい。これらは軽量で成形や二次加工し易く、配管材料の材質として広く用いられているため好適である。また高い剛性が要求される場合は、銅、真鍮、鋳鉄、鋳鋼、炭素鋼、ステンレス、チタン、アルミニウム、アルミダイカストなどの金属が望ましく、特に成形や加工が容易であり、腐食に強いことからステンレスであることがより望ましい。
【発明の効果】
【００１６】  本発明は以上のような構造をしており、以下の優れた効果が得られる。（１）同一形状の位置決め治具を、弁箱に設けられた溝に嵌合させ、位置決め治具の配管フランジ接触面に配管フランジ外周側面を当接させる簡単な操作で、配管施工時の調芯が可能となる。また、同一形状の位置決め治具で多種の配管接続規格に対応可能となり高い汎用性を持つ。（２）配管フランジの外周を基準にしてバタフライバルブの組付け高さを設定するものであるから、配管フランジの接続ボルトを基準にする従来の芯出し治具に比べて芯出し作業が容易になり、組付けを作業員が一人で正確に行うことができる。（３）位置決め治具は、拡縮自在の爪によるバイヨネット機構を備えているので、芯出し治具の着脱および再使用が可能である。また、位置決め治具は小型軽量であり、トップフランジに収納することができるため、作業性及び保管性に優れている。
【図面の簡単な説明】
【００１７】
【図１】本発明の第一の実施形態に係るバタフライバルブを示す正面図である。
【図２】本発明の第一の実施形態に係るバタフライバルブの配管用調芯機構を示す斜視図である。
【図３】本発明の第一の実施形態に係るバタフライバルブの配管用調芯機構の施工状態を示す斜視図である。
【図４】本発明の第一の実施形態に係る配管用調芯機構の要部拡大斜視図である。
【図５】本発明の第一の実施形態に係る位置決め治具を示す斜視図である。
【図６】本発明の第一の実施形態に係る位置決め治具を示す（ａ）は正面図、（ｂ）は（ａ）の平面図、（ｃ）は（ａ）の底面図、（ｄ）は（ａ）の右側面図である。
【図７】本発明の第二の実施形態に係るバタフライバルブを示す正面図である。
【図８】本発明の第二の実施形態に係るバタフライバルブの配管用調芯機構を示す斜視図である。
【図９】本発明の第二の実施形態に係る配管用調芯機構の要部拡大斜視図である。
【図１０】本発明の第二の実施形態に係る位置決め治具を示す斜視図である。
【図１１】本発明の第二の実施形態に係る位置決め治具を示す（ａ）は正面図、（ｂ）は（ａ）の平面図、（ｃ）は（ａ）の底面図、（ｄ）は（ａ）の右側面図である。
【図１２】本発明の第三の実施形態に係るバタフライバルブを示す正面図である。
【図１３】本発明の第三の実施形態に係るバタフライバルブの配管用調芯機構を示す斜視図である。
【図１４】本発明の第三の実施形態に係る配管用調芯機構の要部拡大斜視図である。
【図１５】本発明の第三の実施形態に係る位置決め治具を示す斜視図である。
【図１６】本発明の第三の実施形態に係る位置決め治具を示す（ａ）は正面図、（ｂ）は（ａ）の平面図、（ｃ）は（ａ）の底面図、（ｄ）は（ａ）の右側面図である。
【図１７】本発明の第三の実施形態に係る位置決め治具がバタフライバルブに収納された状態を説明する（ａ）は収納前、（ｂ）は収納時の斜視図、（ｃ）は収納時の正面図である。
【図１８】本発明の第三の実施形態に係る位置決め治具とフランジとの関係を説明する図である。
【図１９】本発明の第四の実施形態に係るバタフライバルブを示す正面図である。
【図２０】本発明の第四の実施形態に係るバタフライバルブの配管用調芯機構を示す斜視図である。
【図２１】本発明の第四の実施形態に係る配管用調芯機構の要部拡大斜視図である。
【図２２】本発明の第四の実施形態に係る位置決め治具を示す斜視図である。
【図２３】本発明の第四の実施形態に係る位置決め治具を示す（ａ）は正面図、（ｂ）は（ａ）の平面図、（ｃ）は（ａ）の底面図、（ｄ）は（ａ）の右側面図である。
【発明を実施するための形態】
【００１８】  以下、本発明における第一の実施形態について図面を参照して説明するが、本発明が本実施形態に限定されないことは言うまでもない。
【００１９】  図１及び図２に示すように、本発明の第一の実施形態におけるバタフライバルブの本体は略短円筒形の弁箱１であって、樹脂成型品（ＰＰ製）であり弁箱１の外周部には複数の配管ボルトのガイド凹部４が設けられている。このように周囲に波状の凹凸加工を施すことによって剛性を高めるようにされ、配管ボルトガイドとしての機能は十分に果たすことができるようにされている。弁箱１の材質としては、樹脂以外にもアルミダイキャストやステンレス等の金属製その他の材料であっても良い。この弁箱１の上部にはハンドルレバー３を取付けるための上ステム２を軸装する軸装部５が設けられ、軸装部５の上端にハンドルレバー３や弁軸アクチュエータ（図示せず）取付用のトップフランジ６が全周に渡って張り出して一体に形成されている。尚、図中８はシートリング、９は弁体である。
【００２０】  図３において、７は配管フランジであり、流体輸送用の管路を構成して隣り合う上流側および下流側の２本の管の端部に固定され、この２枚の配管フランジ７の間にバタフライバルブの弁箱１を上から挿入した後、配管フランジ７に開けた規定のボルト孔７ａに締結ボルト（図示せず）を挿通し、その先端にナットを嵌めて締結し、弁箱１を２枚の配管フランジ７間に挟持するようにされている。
【００２１】  そして、弁箱１の軸装部５の上端に形成されたトップフランジ６上に搭載したハンドルレバー３又は弁軸アクチュエータ（図示せず）を下方から挿通される複数本のボルトでトップフランジ６に固定できるようにされている。
【００２２】  図４に示すように、トップフランジ６の下部に、位置決め治具１１を挿入する挿入溝１０を設け、挿入溝１０の端面位置はフランジ７と弁箱１が接合する面上とする。位置決め治具１１を挿入する挿入溝１０は、縦長の楕円形状に穿設され、各種フランジ接続規格に対応可能とすべく、挿入溝１０の複数の位置に両横方向に張り出した溝段部１０ａ、１０ｂ及び１０ｃが形成されている。
【００２３】  そして、この挿入溝１０のいずれかの溝段部１０ａ、１０ｂ及び１０ｃに、位置決め治具１１を挿入するが、位置決め治具１１には各溝段部に嵌合する突起１１ｃと、フランジ７外周側面に当接する面１１ｂから形成され、同一形状の位置決め治具１１にて、多種の配管接続規格に応じて施工時の調芯を可能にされている。図中、１１ａはリング状の取手である。溝段部１０ａ、１０ｂ及び１０ｃと突起１１ｃは長方形断面であらわされているが嵌合可能であれば、断面が多角形の角柱、半円形でも構わない。
【００２４】  位置決め治具１１は、調芯後又は不要の際は、トップフランジ６の治具収納部１２に収納可能とされている。位置決め治具１１は、爪１１ｄと間隙１１ｅによる拡縮自在のバイヨネット機構を備えているので、位置決め治具１１を治具収納部１２に簡便かつ確実に収納でき、その着脱および再使用も容易に行うことができる。
【００２５】  次に、本発明における第二の実施形態について図面を参照して説明するが、本発明が本実施形態に限定されないことは言うまでもない。第一の実施形態と同様の構成を有するものについては同一符号を用いる。
【００２６】  図７及び図８に示すように、本発明の第二の実施形態におけるバタフライバルブの本体は略短円筒形の弁箱１であって、樹脂成型品（ＰＰ製）であり弁箱１の外周部には複数の配管ボルトのガイド凹部４が設けられている。このように周囲に波状の凹凸加工を施すことによって剛性を高めるようにされ、配管ボルトガイドとしての機能は十分に果たすことができるようにされている。弁箱１の材質としては、樹脂以外にもアルミダイキャストやステンレス等の金属製その他の材料であっても良い。この弁箱１の上部にはハンドルレバー３を取付けるための上ステム２を軸装する軸装部５が設けられ、軸装部５の上端にハンドルレバー３や弁軸アクチュエータ（図示せず）取付用のトップフランジ６が全周に渡って張り出して一体に形成されている。尚、図中８はシートリング、９は弁体である。施工状態は、第一の実施形態と同様であるため、説明を省略する。
【００２７】  図９に示すように、トップフランジ６の下部に、位置決め治具１１を挿入する挿入溝１０を設け、溝１０の端面位置はフランジ７と弁箱１が接合する面上とする。位置決め治具１１を挿入する挿入溝１０は、縦長の楕円形状に穿設され、各種フランジ接続規格に対応可能とすべく、挿入溝１０の複数の位置に後述する棒状突起１１ｆが挿入される溝穴部１０ｄが形成されている。
【００２８】  そして、この挿入溝１０のいずれかの溝穴部１０ｄに、位置決め治具１１を挿入するが、位置決め治具１１には溝穴部１０ｄに嵌合する棒状突起１１ｆと、フランジ７外周側面に当接する面１１ｂから形成され、同一形状の位置決め治具１１にて、多種の配管接続規格に応じて施工時の調芯を可能にされている。溝穴部１０ｄと棒状突起１１ｆは円筒であらわされているが嵌合可能であれば、断面が多角形の角柱、楕円柱、半円柱でも構わない。
【００２９】  位置決め治具１１は、調芯後又は不要の際は、トップフランジ６の治具収納部１２に収納可能とされている。位置決め治具１１は、爪１１ｄと間隙１１ｅによる拡縮自在のバイヨネット機構を備えているので、位置決め治具１１を治具収納部１２に簡便かつ確実に収納でき、その着脱および再使用も容易に行うことができる。
【００３０】  次に、本発明における第三の実施形態について図面を参照して説明するが、本発明が本実施形態に限定されないことは言うまでもない。前述した実施形態と同様の構成を有するものについては同一符号を用いる。
【００３１】  図１２及び図１３に示すように、本発明の第三の実施形態におけるバタフライバルブの本体は略短円筒形の弁箱１であって、樹脂成型品（ＰＰ製）であり弁箱１の外周部には複数の配管ボルトのガイド凹部４が設けられている。このように周囲に波状の凹凸加工を施すことによって剛性を高めるようにされ、配管ボルトガイドとしての機能は十分に果たすことができるようにされている。弁箱１の材質としては、樹脂以外にもアルミダイキャストやステンレス等の金属製その他の材料であっても良い。この弁箱１の上部にはハンドルレバー３を取付けるための上ステム２を軸装する軸装部５が設けられ、軸装部５の上端にハンドルレバー３や弁軸アクチュエータ（図示せず）取付用のトップフランジ６が全周に渡って張り出して一体に形成されている。尚、図中１３はシートリング、９は弁体である。施工状態は、第一の実施形態と同様であるため、説明を省略する。
【００３２】  図１４に示すように、トップフランジ６の下部に、位置決め治具１１を挿入する挿入溝１０を設け、挿入溝１０の端面位置はフランジ７と弁箱１が接合する面上とする。位置決め治具１１を挿入する挿入溝１０は、縦長で、トップフランジ６側が平滑に、他端側が隅部を有する多角形状に穿設され、各種フランジ接続規格に対応可能とすべく、挿入溝１０の複数の位置に後述する棒状突起１１ｆが挿入される溝穴部１０ｄが形成されている。溝穴部１０ｄと棒状突起１１ｆは円筒であらわされているが嵌合可能であれば、断面が多角形の角柱、楕円柱、半円柱でも構わない。
【００３３】  そして、この挿入溝１０のいずれかの溝穴部１０ｄに、位置決め治具１１を挿入するが、位置決め治具１１には溝穴部１０ｄに嵌合する棒状突起１１ｆと、フランジ７外周側面に当接する面１１ｂから形成され、同一形状の位置決め治具１１にて、多種の配管接続規格に応じて施工時の調芯を可能にされている。
【００３４】  位置決め治具１１は、調芯後又は不要の際は、トップフランジ６の治具収納部１２に収納可能とされている。位置決め治具１１は、爪１１ｄと間隙１１ｅによる拡縮自在のバイヨネット機構を備えているので、位置決め治具１１を治具収納部１２に簡便かつ確実に収納でき、その着脱および再使用も容易に行うことができる。前述した実施形態は、位置決め治具１１の背面側から正面側に向かって間隙１１ｅが形成されているが、本実施形態においては、位置決め治具１１の正面側から背面側に向かって間隙１１ｅが形成されている。
【００３５】  位置決め治具１１は、図１５に示すように、挿入溝１０と嵌合するため底面に突出した嵌合部１１ｍが設けられている。嵌合部１１ｍの両面側には、圧入用の小突起１１ｇが複数個設けられ、挿入溝１０に嵌合部１１ｍを挿入した際、簡単に脱離しない構造とされている。位置決め治具１１の両側面には抜け防止用突起１１ｈが設けられおり、図１４に示すように、位置決め治具１１を治具収納部１２に収納した際、抜け防止用突起１１ｈが挿入溝１０に接触して爪１１ｄを位置決め治具１１の内側に押圧し、より強固にバイヨネット機構を機能させて位置決め治具１１の脱離を防止することができる。位置決め治具１１の平面側には逃がし溝１１ｋが設けられている。図１８（ａ）に示すように、配管フランジ７には、配管に設けられた刻印に合わせることを目的としてフランジのボルト穴の角度や継手の角度を簡易に調節できるよう複数の角度指示用突起７１が設けられている。図１８（ｂ）に示すように、逃がし溝１１ｋは、この角度指示用突起７１と位置決め治具１１の干渉を防止する。
【００３６】  図１７に示すように、挿入溝１０内には複数の規格マーク１０ｅが刻設されている。嵌合部１１ｍには、切欠部１１ｊが設けられており、この規格マーク１０ｅを視認可能に構成されている。切欠部１１ｊの設けられる位置は、棒状突起１１ｆと規格マーク１０ｅとの位置関係で決定される。
【００３７】  次に、本発明における第四の実施形態について図面を参照して説明するが、本発明が本実施形態に限定されないことは言うまでもない。前述した実施形態と同様の構成を有するものについては同一符号を用いる。
【００３８】  図１９及び図２０に示すように、本発明の第四の実施形態におけるバタフライバルブの本体は略短円筒形の弁箱１であって、樹脂成型品（ＰＰ製）であり弁箱１の外周部には複数の配管ボルトのガイド凹部４が設けられている。このように周囲に波状の凹凸加工を施すことによって剛性を高めるようにされ、配管ボルトガイドとしての機能は十分に果たすことができるようにされている。弁箱１の材質としては、樹脂以外にもアルミダイキャストやステンレス等の金属製その他の材料であっても良い。この弁箱１の上部にはハンドルレバー３を取付けるための上ステム２を軸装する軸装部５が設けられ、軸装部５の上端にハンドルレバー３や弁軸アクチュエータ（図示せず）取付用のトップフランジ６が全周に渡って張り出して一体に形成されている。尚、図中２０はシートリング、９は弁体である。施工状態は、第一の実施形態と同様であるため、説明を省略する。
【００３９】  図２１に示すように、トップフランジ６の下部に、位置決め治具１１を挿入する挿入溝１０を設け、溝１０の端面位置はフランジ７と弁箱１が接合する面上とする。位置決め治具１１を挿入する挿入溝１０は、第一の実施形態と同様の形状に穿設され、各種フランジ接続規格に対応可能とすべく、挿入溝１０の複数の位置に後述する棒状突起１１ｆが挿入される溝穴部１０ｄが形成されている。
【００４０】  そして、この挿入溝１０のいずれかの溝段部１０ａ、１０ｂ、１０ｃ、及びこれらに対応する溝穴部１０ｄに、位置決め治具１１を挿入するが、位置決め治具１１には各溝段部に嵌合する突起１１ｃと、溝穴部１０ｄに嵌合する棒状突起１１ｆと、フランジ７外周側面に当接する面１１ｂから形成され、同一形状の位置決め治具１１にて、多種の配管接続規格に応じて施工時の調芯を可能にされている。溝段部１０ａ、１０ｂ及び１０ｃと突起１１ｃは長方形断面であらわされているが嵌合可能であれば、断面が多角形の角柱、半円形でも構わない。さらに、溝穴部１０ｄと棒状突起１１ｆは円筒であらわされているが嵌合可能であれば、断面が多角形の角柱、楕円柱、半円柱でも構わない。
【００４１】  位置決め治具１１は、調芯後又は不要の際は、トップフランジ６の治具収納部１２に収納可能とされている。位置決め治具１１は、爪１１ｄと間隙１１ｅによる拡縮自在のバイヨネット機構を備えているので、位置決め治具１１を治具収納部１２に簡便かつ確実に収納でき、その着脱および再使用も容易に行うことができる。
【符号の説明】
【００４２】１  弁箱２  ステム３  ハンドルレバー４  ガイド凹部５  軸装部６  トップフランジ７  配管フランジ８  シートリング９  弁体１０位置決め治具の挿入溝１０ｄ溝穴部１０ｅ規格マーク１１位置決め治具１１ａリング状の取手１１ｂフランジ当接面１１ｃ嵌合突起１１ｄ爪１１ｅ間隙１１ｆ棒状突起１１ｇ圧入用の小突起１１ｈ抜け防止用の突起１１ｊ切欠部１１ｋ逃がし溝１１ｍ嵌合部１２治具収納部７１角度指示用突起
【図１】
2019131430.tif 000003
【図２】
2019131430.tif 000004
【図３】
2019131430.tif 000005
【図４】
2019131430.tif 000006
【図５】
2019131430.tif 000007
【図６】
2019131430.tif 000008
【図７】
2019131430.tif 000009
【図８】
2019131430.tif 000010
【図９】
2019131430.tif 000011
【図１０】
2019131430.tif 000012
【図１１】
2019131430.tif 000013
【図１２】
2019131430.tif 000014
【図１３】
2019131430.tif 000015
【図１４】
2019131430.tif 000016
【図１５】
2019131430.tif 000017
【図１６】
2019131430.tif 000018
【図１７】
2019131430.tif 000019
【図１８】
2019131430.tif 000020
【図１９】
2019131430.tif 000021
【図２０】
2019131430.tif 000022
【図２１】
2019131430.tif 000023
【図２２】
2019131430.tif 000024
【図２３】
2019131430.tif 000025
【国際調査報告】
2019131430.tif 000026
2019131430.tif 000027
2019131430.tif 000028